(57)【要約】【課題】支柱に係止された複数の取付け金具に、パネルのスリットを係合させることでパネルを引っ掛けて支柱に取付けるにあたり、パネルの取付作業を容易に行なえるようにする。【解決手段】取付け金具として、パネル６のスリット６に係合するパネル係合部５ｂの上下長さが長短異なる第一、第二取付け金具５Ａ、５Ｂを用い、パネル係合部５ｂの上下長さが長い第一取付け金具５Ａとスリット６ｄとを位置合せして該スリット６ｄを第一取付け金具５Ａに係合させることで、パネル係合部５ｂの上下長さが短い第二取付け金具５Ｂとスリット６ｄとの位置合せ係合が誘導されるように構成した。【選択図】図２
2015132124.tif 000002
【特許請求の範囲】
【請求項１】
支柱に上下方向複数穿設された係止孔に取付け金具を係止し、これら支柱に係止された取付け金具に、パネルに穿設された上下方向複数のスリットを係合させることでパネルを引っ掛けて支柱に取付けるように構成するにあたり、前記取付け金具は、パネルに穿設されたスリットに係合するパネル係合部の上下長さが長短異なる第一、第二取付け金具を用い、パネル係合部の上下長さが長い第一取付け金具とスリットとを位置合せして該スリットを第一取付け金具に係合させることで、パネル係合部の上下長さが短い第二取付け金具とスリットとの位置合せ係合が誘導される構成にしたことを特徴とするパネルの取付け構造。
【請求項２】
請求項１において、第一、第二取付け金具は、支柱の係止孔に係合する支柱係合部と、パネルのスリットに係合するパネル係合部と、これら支柱係合部とパネル係合部との上下方向中間部同士を連結する連結部とを備えると共に、第一取付け金具のパネル係合部は、連結部よりも上方に突出する部分の上下長さが第二取付け金具の当該部分の上下長さよりも長く設定されていることを特徴とするパネルの取付け構造。
【請求項３】
請求項１または２において、支柱の係止孔に係止される複数の取付け金具のうち最も上側に取付けられる取付け金具に、第一取付け金具を用いたことを特徴とするパネルの取付け構造。
【請求項４】
請求項１乃至３の何れか一項において、支柱の係止孔の下側に位置決め孔を形成する一方、取付け金具に、前記位置決め孔に嵌入する位置決め突部を形成したことを特徴とするパネルの取付け構造。
【発明の詳細な説明】
【技術分野】
【０００１】
本発明は、間仕切り装置等において、支柱に取付け金具を介してパネルを取付ける場合のパネルの取付け構造の技術分野に関するものである。
【背景技術】
【０００２】
一般に、空間を仕切るために用いられる間仕切り装置等のなかには、天井面と床面とのあいだに支柱を立設し、該支柱にパネルを取付けるように構成したものがある。このものにおいて支柱にパネルを取付けるにあたり、従来、支柱に上下方向複数の係止孔を穿設し、これら係止孔にそれぞれ取付け金具を係止すると共に、これら支柱に係止された取付け金具にパネルに穿設された上下方向複数のスリットをそれぞれ係合させることで、パネルを取付け金具に引っ掛けて支柱に取付けるように構成したものが知られている（例えば、特許文献１、２参照）。
【先行技術文献】
【特許文献】
【０００３】
【特許文献１】実公平７−４０００４号公報
【特許文献２】特開２０００−１７０２８９号公報
【発明の概要】
【発明が解決しようとする課題】
【０００４】
ところで、前述したような取付け金具を介してパネルを支柱に取付ける場合、支柱の係止孔に係止された全ての取付け金具と、パネルに穿設された全てのスリットとが位置合わせされた状態でないと、取付け金具にスリットを係合させてパネルを引っ掛けることができないことになる。しかも、この取付け金具とスリットとの位置合わせは、パネルの左右両側において同時に必要であるうえ、パネルを持ち上げながらの作業であって、労力を要し作業性に劣るという問題がある。
また、取付け金具にパネルを引っ掛ける際に、係止孔に係止された取付け金具がずれてしまうことがあり、この場合にはパネルを取外して取付け金具を正しい位置に付け直さなければならず作業性が更に低下するという問題もあり、これらに本発明が解決すべき課題がある。
【課題を解決するための手段】
【０００５】
本発明は、上記の如き実情に鑑みこれらの課題を解決することを目的として創作されたものであって、請求項１の発明は、支柱に上下方向複数穿設された係止孔に取付け金具を係止し、これら支柱に係止された取付け金具に、パネルに穿設された上下方向複数のスリットを係合させることでパネルを引っ掛けて支柱に取付けるように構成するにあたり、前記取付け金具は、パネルに穿設されたスリットに係合するパネル係合部の上下長さが長短異なる第一、第二取付け金具を用い、パネル係合部の上下長さが長い第一取付け金具とスリットとを位置合せして該スリットを第一取付け金具に係合させることで、パネル係合部の上下長さが短い第二取付け金具とスリットとの位置合せ係合が誘導される構成にしたことを特徴とするパネルの取付け構造である。
請求項２の発明は、請求項１において、第一、第二取付け金具は、支柱の係止孔に係合する支柱係合部と、パネルのスリットに係合するパネル係合部と、これら支柱係合部とパネル係合部との上下方向中間部同士を連結する連結部とを備えると共に、第一取付け金具のパネル係合部は、連結部よりも上方に突出する部分の上下長さが第二取付け金具の当該部分の上下長さよりも長く設定されていることを特徴とするパネルの取付け構造である。
請求項３の発明は、請求項１または２において、支柱の係止孔に係止される複数の取付け金具のうち最も上側に取付けられる取付け金具に、第一取付け金具を用いたことを特徴とするパネルの取付け構造である。
請求項４の発明は、請求項１乃至３の何れか一項において、支柱の係止孔の下側に位置決め孔を形成する一方、取付け金具に、前記位置決め孔に嵌入する位置決め突部を形成したことを特徴とするパネルの取付け構造である。
【発明の効果】
【０００６】
請求項１の発明とすることにより、全てのスリットと取付け金具との位置合わせを行なわなくても、パネル係合部の上下長さが長い第一取付け金具とスリットとの位置合せ係合で、残りの第二取付け金具と対応するスリットとの位置合せ係合が誘導されることになって、パネルの取付作業の作業効率の向上および労力の軽減に貢献できる。
請求項２の発明とすることにより、第一取付け金具のパネル係合部とスリットとの位置合せ係合で、第二取付け金具とスリットとの位置合せ係合が確実且つ容易に誘導されることになる。
請求項３の発明とすることにより、最も上側の第一取付け金具とスリットとの位置合せ係合で、残りの第二取付け金具とスリットとの位置合せ係合が誘導されることになって、取付作業がより容易となる。
請求項４の発明とすることにより、パネルのスリットに取付け金具を係合して引っ掛ける際に取付け金具がずれてしまうことを防止でき、取付作業の作業効率が更に向上する。
【図面の簡単な説明】
【０００７】
【図１】（Ａ）は間仕切り装置の正面図、（Ｂ）は（Ａ）のＸ−Ｘ縦断面である。
【図２】（Ａ）、（Ｂ）は第一取付け金具配設部分の正面図、縦断面図、（Ｃ）、（Ｄ）は第二取付け金具配設部分の正面図、縦断面図である。
【図３】（Ａ）、（Ｂ）、（Ｃ）は支柱の正面図、拡大平面図、係止孔部分の拡大図である。
【図４】（Ａ）、（Ｂ）、（Ｃ）はパネルの背面図、拡大水平断面図、スリット部分の拡大図である。
【図５】（Ａ）、（Ｂ）、（Ｃ）は第一取付け金具の正面図、側面図、支柱への係止手順を示す図である。
【図６】（Ａ）、（Ｂ）、（Ｃ）は第二取付け金具の正面図、側面図、支柱への係止手順を示す図である。
【図７】第二の実施の形態の第一取付け金具を示す図である。
【図８】（Ａ）、（Ｂ）、（Ｃ）は第三の実施の形態における治具の斜視図、パネルにセットされた治具を示す正面図、平面図である。
【発明を実施するための形態】
【０００８】
以下、本発明の実施の形態について、図面に基づいて説明する。
図面において、１は空間を仕切るための間仕切り装置であって、該間仕切り装置１は、床面に固定される床レール２、該床レール２と平行となる状態で天井面に固定される天レール３、これら床レール２と天レール３との間に左右方向間隔を存して複数立設される支柱４、該支柱４の表裏両側に取付け金具５（後述する第一取付け金具５Ａおよび第二取付け金具５Ｂ）を介して取付けられるパネル６等の部材を用いて構成されている。
【０００９】
前記支柱４は、左右何れか一方側が開口した四角形状をしており、その下端部は、床レール２に固定されるアジャスタ７および下側支持金具８を介して床レール２に支持され、また上端部は、天レール３に固定される上側支持金具９を介して天レール３に支持されている。さらに、隣接する左右の支柱４の上下方向中間部間には、支柱４に固定される横方向支持金具１０を介して横連結部材１１が支架されている。
【００１０】
さらに、前記支柱４の表面板４ａおよび裏面板４ｂには、前記取付け金具５が係止する縦長四角形状の左右の係止孔４ｃが上下方向に複数穿設されていると共に、各係止孔４ｃの下側には、後述する取付け金具５の位置決め突部５ｆが嵌入する小孔状の位置決め孔４ｄが穿設されている。そして、左側の上下方向複数の係止孔４ｃには、支柱４の左側に配されるパネル６を取付けるための取付け金具５が係止され、また、右側の上下方向複数の係止孔４ｃには、支柱４の右側に配されるパネル６を取付けるための取付け金具５が係止されるようになっている。
【００１１】
一方、前記パネル６は、鋼板からなる表面材６ａに裏打材となる石膏ボード６ｂを固着して形成されたものであって、該パネル６の背面（支柱４の表面板４ａ或いは裏面板４ｂに対向する側の面）の左右両縁部には、表面材６ａの左右両縁部を裏側に向けて断面略コ字形状に折り返して形成された係止面６ｃが設けられている。該係止面６ｃには、前記支柱４の係止孔４ｃに係止された取付け金具５に係合するスリット６ｄが上下方向に複数穿設されており、そして、取付け金具５にスリット６ｄを係合させてパネル６を取付け金具５に引っ掛けることで、パネル６を支柱４に取付けできる構成になっている。尚、図中、１２は支柱４の下端部に取付けられたパネル受け金具であって、該パネル受け金具１２によって、前記支柱４に取付けられたパネル６の下端側が支持されるようになっている。
【００１２】
前記取付け金具５は、形状の異なる二種類の第一、第二取付け金具５Ａ、５Ｂが用いられているが、本実施の形態では、前記支柱４の係止孔４ｃに係止される複数の取付け金具５のうち最も上側の取付け金具５に第一取付け金具５Ａが用いられ、残りの取付け金具５には第二取付け金具５Ｂが用いられている。
【００１３】
まず、第二取付け金具５Ｂについて説明すると、該第二取付け金具５Ｂは、前記支柱４の係止孔４ｃに係合する支柱係合部５ａと、パネル６のスリット６ｄに係合するパネル係合部５ｂとを有しており、これら支柱係合部５ａ、パネル係合部５ｂの上下方向（第二取付け金具５Ｂを支柱４に係止させた状態での上下方向、以下同様）中間部同士は連結部５ｃにより連結されている。そして、連結部５ｃの上側には、互いに対向する上側支柱係合部５ａＵ（連結部５ｃよりも上方に突出する部分の支柱係合部）と上側パネル係合部５ｂＵ（連結部５ｃよりも上方に突出する部分のパネル係合部）との間に、支柱４の面板（表面板４ａ或いは裏面板４ｂ）とパネル６の係止面６ｃとが係合する上向き開口溝５ｄが形成され、また、連結部５ｃの下側には、互いに対向する下側支柱係合部５ａＤ（連結部５ｃよりも下方に突出する部分の支柱係合部）と下側パネル係合部５ｂＤ（連結部５ｃよりも下方に突出する部分のパネル係合部）との間に、支柱４の面板（表面板４ａ或いは裏面板４ｂ）が係合する下向き開口溝５ｅが形成されている。さらに、パネル係合部５ｂの下端部には、前記支柱４の面板（表面板４ａ或いは裏面板４ｂ）に穿設された位置決め孔４ｄに位置決め状に嵌入する位置決め突部５ｆが形成されている。
ここで、前記第二取付け金具５Ｂの支柱係合部５ａの上下長さＬ１は、支柱４の係止孔４ｃの上下長さＬ２よりも長く設定される一方、パネル係合部５ｂの上下長さＬ３は、支柱係合部５ａの上下長さＬ１よりも長く、且つ、パネル６のスリット６ｄの上下長さＬ４よりも短く設定されている（Ｌ２＜Ｌ１＜Ｌ３＜Ｌ４）。さらに、上側支柱係合部５ａＵ、上側パネル係合部５ｂＵの上下長さＬ５、Ｌ６は等しく設定される（Ｌ５＝Ｌ６）一方、下側パネル係合部５ｂＤの上下長さＬ７は、下側支柱係合部５ａＤの上下長さＬ８よりも長く設定されている（Ｌ８＜Ｌ７）。また、支柱４に穿設される係止孔４ｃの横幅Ｄ１は、第二取付け金具５Ｂの板厚Ｄ２よりも僅かに大きな寸法に設定されている。
【００１４】
そして、前記第二取付け金具５Ｂは、支柱４の表裏面板４ａ、４ｂに穿設された係止孔４ｃのうち最も上側の係止孔４ｃを除いた残りの係止孔４ｃに係止されるが、該第二取付け金具５Ｂを係止孔４ｃに係止する場合には、図６（Ｃ）に示す如く、まず第二取付け金具５Ｂを横向きにし、パネル係合部５ｂの上端部を表面板４ａ（或いは裏面板４ｂ、以下同様）に当接させた状態で支柱係合部５ａの上部を係止孔４ｃに挿入して、上向き開口溝５ｄに係止孔４ｃの上側の表面板４ａを係合させ、続けて第二取付け金具５Ｂを回転させながら支柱係合部５ａを係止孔４ｃに挿入して、下向き開口溝５ｅに係止孔４ｃの下側の表面板４ａを係合させ、この状態で第二取付け金具５Ｂを下動させて、下向き開口溝５ｅの溝天井部を係止孔４ｃの下縁に当接させると共に、位置決め突部５ｆを位置決め孔４ｄに嵌入させる。この様にして第二取付け金具５Ｂは支柱４の係止孔４ｃに係止されるが、該係止された第二取付け金具５Ｂは、支柱係合部５ａの上部および下部が表面板４ａに内側から当接し、且つ、位置決め突部５ｆが位置決め孔４ｄに嵌入することで、前後左右および上下方向にずれることのない安定状態で係止孔４ｃに係止されるようになっている。
【００１５】
次いで、第一取付け金具５Ａについて説明すると、該第一取付け金具５Ａは、前述した第二取付け金具５Ｂと同様に、支柱係合部５ａ（上側支柱係合部５ａＵ、下側支柱係合部５ａＤを含む）、パネル係合部５ｂ（上側パネル係合部５ｂＵ、下側パネル係合部５ｂＤを含む）、連結部５ｃ、上向き開口部５ｄ、下向き開口部５ｅ、位置決め突部５ｆを備えて形成されているが、第一取付け金具５Ａの上側パネル係合部５ｂＵは、第二取付け金具５Ｂの上側パネル係合部５ｂＵよりも上方に延出されており、該延出分αだけ第一取付け金具５Ａの上側パネル係合部５ｂＵの上下長さＬ９は、第二取付け金具５Ｂの上側パネル係合部５ｂＵの上下長さＬ６よりも長くなるように設定されている（Ｌ９＝Ｌ６＋α）。而して、第一取付け金具５Ａのパネル係合部５ｂの上下長さＬ１０も、前記延出分αだけ第二取付け金具５Ｂのパネル係合部５ｂの上下長さＬ３よりも長くなるように設定されているが、パネル６のスリット６ｄの上下長さＬ４よりは短くなるように設定されている（Ｌ３＜Ｌ１０（＝Ｌ３＋α）＜Ｌ４）。また、上側パネル係合部５ｂＵおよびパネル係合部５ｂの上下長さＬ９、Ｌ１０以外の第一取付け金具５Ａの寸法は、第二取付け金具５Ｂと同一となるように設定されている。さらに、第一取付け金具５Ａの板厚Ｄ２は、前記第二取付け金具５Ｂの板厚Ｄ２と等しく設定されている。そして、該第一取付け金具５Ａは、図５（Ｃ）に示す如く、前述した第二取付け金具５Ｂと同様の手順で、支柱４の最も上側の係止孔４ｃに係止されるようになっている。
【００１６】
一方、前記第一、第二取付け金具５Ａ、５Ｂのパネル係合部５ｂが係合するべくパネル６に穿設されるスリット６ｄは、第一取付け金具５Ａが係合するスリット６ｄも第二取付け金具５Ｂが係合するスリット６ｄも同じ寸法形状をしているが、該スリット６ｄは、長方形状をした太径部６ｅの上部に、上側ほど細径となる先すぼまり状の細径部６ｆが形成されている。そして、スリット太径部６ｅの横幅Ｄ３は、第一、第二取付け金具５Ａ、５Ｂに係合させやすいように第一、第二取付け金具５Ａ、５Ｂの板厚Ｄ２よりも幅広に形成されている（Ｄ２＜Ｄ３）が、細径部６ｆの上端の横幅Ｄ４は、第一、第二取付け金具５Ａ、５Ｂに対してパネル６が左右方向にずれないように第一、第二取付け金具５Ａ、５Ｂの板厚Ｄ２よりも僅かに大きな寸法に設定されている。さらに、スリット太径部６ｅの上下長さＬ１１は、第一、第二取付け金具５Ａ、５Ｂのパネル係合部５ｂの上下長さＬ１０、Ｌ３よりも長く設定されている。
【００１７】
そして、パネル６を支柱４に取付ける場合には、前述したようにして支柱４に係止された第一、第二取付け金具５Ａ、５Ｂにパネル６を引っ掛けることになるが、この場合に、まず、パネル６を前記パネル受け金具１２に一旦載せ、次いでパネル６を持ち上げて、第一、第二取付け金具５Ａ、５Ｂのパネル係合部５ｂにパネル６のスリット６ｄの太径部６ｅを係合させる。この場合に、最も上側の係止孔４ｃに係止された第一取付け金具５Ａのパネル係合部５ｂと最も上側のスリット６の太径部６ｅとの位置を合わせるように留意して係合することで、第一取付け金具５Ａのパネル係合部５ｂよりも上下長さが短い第二取付け金具５Ｂのパネル係合部５ｂは対応するスリット太径部６ｅとの位置合わせ係合が誘導されることになり、而して、第一取付け金具５Ａに位置合わせしてスリット太径部６ｅを係合させることで残りの第二取付け金具５Ｂも位置合せされた状態でスリット太径部６ｅに係合させることができるようになっている。そして、第一、第二取付け金具５Ａ、５Ｂのパネル係合部５ｂにパネル６のスリット太径部６ｅを係合させた後、該係合が外れないようにパネル６を支柱４側に押し付けながら下側にずり下げると、第一、第二取付け金具５Ａ、５Ｂの上向き開口溝５ｄの溝底にパネル６のスリット細径部６ｆの上端が当接し、これによりパネル６は第一、第二取付け金具５Ａ、５Ｂに引っ掛けられるようになっている。
【００１８】
叙述の如く構成された本形態において、パネル６は、支柱４に上下方向複数穿設された係止孔４ｃに係止された取付け金具５に、パネル６に穿設された上下方向複数のスリット６ｄを係合させてパネル６を引っ掛けることで支柱４に取り付けられることになるが、このものにおいて、前記取付け金具５は、パネル６のスリット６ｄに係合するパネル係合部５ｂの上下長さが長短異なる第一取付け金具５Ａと第二取付け金具５Ｂとが用いられており、そして、パネル６のスリット６ｄを取付け金具５Ａ、５Ｂに係合させる場合に、パネル係合部５ｂの上下長さが長い第一取付け金具５Ａとスリット６ｄとを位置合せして該スリット６ｄを第一取付け金具５Ａに係合させることで、パネル係合部５ｂの上下長さが短い第二取付け金具５Ｂとスリット６ｄとの位置合せ係合が誘導されることになる。
【００１９】
而して、パネル６を支柱４に取り付けるべく、パネル６のスリット６ｄを支柱４に係止された取付け金具５に係合させる場合に、全てのスリット６ｄと取付け金具５との位置合わせを行なわなくても、パネル係合部５ｂの上下長さが長い第一取付け金具５Ａとスリット６ｄとを留意して位置合せ係合するだけで、残りの第二取付け金具５Ｂと対応するスリット６ｄとの位置合せ係合が誘導されることになり、この結果、パネル６の支柱４へ取付け作業が容易になって、取付作業の作業効率の向上および労力の軽減に大きく貢献できる。
【００２０】
しかもこのものにおいて、第一、第二取付け金具５Ａ、５Ｂは、支柱４の係止孔４ｃに係合する支柱係合部５ａと、パネル６のスリット６ｄに係合するパネル係合部５ｂと、これら支柱係合部５ａとパネル係合部５ｂとの上下方向中間部同士を連結する連結部５ｃとを備えると共に、第一取付け金具５Ａのパネル係合部５ｂは、連結部５ｃよりも上方に突出する上側パネル係合部５ｂＵの上下長さが第二取付け金具５Ｂの上側パネル係合部５ｂＵの上下長さよりも長く設定されることで、第二取付け金具５Ｂのパネル係合部５ｂの上下長さよりも長く設定されている。この結果、支柱４に係止された状態で、第一取付け金具５Ａのパネル係合部５ｂの上部は、第二取付け金具５Ｂのパネル係合部５ｂの上部よりも対応するスリット６ｄに対して上方に突出していることになり、該上方に突出している第一取付け金具５Ａのパネル係合部５ｂとスリット６ｄとの位置合せ係合で、残りの第二取付け金具５Ｂとスリット６ｄとの位置合せ係合が確実且つ容易に誘導されることになる。
【００２１】
さらにこのものにおいて、パネル係合部５ｂの長い第一取付け金具５Ａは、支柱４の係止孔４ｃに係止される複数の取付け金具５のうち最も上側に取付けられている。而して、最も上側の第一取付け金具５Ａとスリット６ｄとの位置合せ係合で、残りの第二取付け金具５Ｂとスリット６ｄとの位置合せ係合が誘導されることになって、取付作業がより容易となる。
【００２２】
そのうえ、支柱４の係止孔４ｃの下側には位置決め孔４ｄが形成される一方、取付け金具５には、該位置決め孔４ｄに嵌入する位置決め突部５ｆが形成されている。これにより、パネル６のスリット６ｄに取付け金具５を係合して引っ掛ける際に取付け金具５がずれてしまうことを防止でき、取付作業の作業効率が更に向上する。
【００２３】
尚、本発明は上記実施の形態に限定されないことは勿論であって、上記実施の形態では、第一取付け金具５Ａは最も上側の取付け金具５に用いられ、残りの取付け金具５には第二取付け金具５Ｂが用いられているが、これに限らず、最も上側以外の取付け金具５（例えば、作業員がパネル６を取付けるときにパネル６を把持する作業員の手元に最も近い取付け金具５）を第一取付け金具５Ａにすることもでき、また、第一取付け金具５Ａを複数用いることもできる。
【００２４】
また、図７に示す第二の実施の形態の如く、第一取付け金具５Ａのパネル係合部５ｂの上部に段差状部５ｇを形成し、該段差状部５ｇを、第一取付け金具５Ａにパネル６のスリット６ｄを係合させた後に一旦パネル６を仮保持させるための仮保持部として用いる構成にすることもできる。この様に構成した場合には、第一、第二取付け金具５Ａ、５Ｂにパネル６のスリット６ｄを係合させるにあたり、まず第一取付け金具５Ａにスリット６ｄを係合して段差状部５ｇにパネル６を仮保持させた状態で、パネル６を支柱４側に押し付ければ第二取付け金具５Ｂと対応するスリット６ｄとが係合することになり、而して、パネル６を持ち上げたまま保持する労力を軽減することができて、更なる作業性の向上に貢献できる。
【００２５】
さらに、上記実施の形態において、パネル６に形成されるスリット６ｄは、前述したように、太径部６ｅの上部に、上側ほど細径となる先すぼまり状の細径部６ｆが形成されており、該細径部６ｆの上端が第一、第二取付け金具５Ａ、５Ｂの上向き開口溝５ｄの溝底に当接することで、第一、第二取付け金具５Ａ、５Ｂに対する左右方向の位置決めがなされるように構成されている。これにより、複数のパネル６を支柱４に取付けた後で、左右に隣接するパネル６間の目地寸法を調節する必要がないように構成されているが、スリットの上部に上記実施の形態のような細径部が形成されていない場合には、目地調整作業が必要となって面倒であるという問題がある。そこで、図８に示す第三の実施の形態のものでは、スリットの上部に細径部が形成されていない場合であっても、パネル６を取付ける際に治具１３を用いることで目地調整が必要ないように構成されている。
前記治具１３は、図８（Ａ）に示す如く、左右に隣接するパネル６間に介装され、正規の目地間隔と同寸法に設定された厚みＷを有する四角形状の本体部１３ａと、該本体部１３から横方向に延びる装着部１３ｂとからなり、装着部１３ｂにはマグネット１３ｃが取付けられている。そして、まず、基準となるパネル６（図８（Ｂ）、（Ｃ）において右側のパネル６）を支柱４に取付けた状態で、基準パネル６の表面材（鋼板からなる）の左側縁部に前記治具１３の装着部１３ｂをマグネット１３ｃにより取付けて、本体部１３ａの内側面１３ｄを基準パネル６の左側面に当接させる。これにより治具１３は、本体部１３ａが基準パネル６と該基準パネル６に隣接するパネル６（図８（Ｂ）、（Ｃ）において左側のパネル６）との間に位置するようにセットされる。そして、該セットされた治具１３をガイドとして、該治具１３の本体部１３ａの外側面１３ｅに隣接するパネル６の右側面が当接するように隣接パネル６を支柱４に取付けることにより、隣接するパネル６は目地調節された状態で取付けられるようになっている。さらにこのものでは、前記治具１３を取付け金具（図８には図示せず）の係止位置に位置合せしてパネル６にセットすることにより、取付け金具の位置を治具１３を介して確信できることになり、更なる作業性の向上に貢献できる。尚、図８では、判りやすくするために治具１３をパネル６に対して大きめに記載すると共に、図面を簡略化してある。
【産業上の利用可能性】
【００２６】
本発明は、間仕切り装置等において、支柱に取付け金具を介してパネルを取付ける場合に利用することができる。
【符号の説明】
【００２７】
４  支柱
４ｃ  係止孔
４ｄ  位置決め孔
５  取付け金具
５Ａ  第一取付け金具
５Ｂ  第二取付け金具
５ｂ  パネル係合部
５ｂＵ  上側パネル係合部
５ｆ  位置決め突部
６  パネル
６ｄ  スリット
【図１】
2015132124.tif 000003
【図２】
2015132124.tif 000004
【図３】
2015132124.tif 000005
【図４】
2015132124.tif 000006
【図５】
2015132124.tif 000007
【図６】
2015132124.tif 000008
【図７】
2015132124.tif 000009
【図８】
2015132124.tif 000010